(57)【要約】【課題】製造コストを安くできると共にコンパクト化して保管でき、かつ、用途範囲を拡大できるＬＥＤ情報表示装置を提供する。【解決手段】折り畳み可能な装着用のベースシート１と、基板２０にＬＥＤ２１をマトリックス状に配置し構成した複数のＬＥＤ表示ユニット２と、前記ユニットの所定部を被覆する軟質プラスチック製の透明シート３と、ベースシート１を広げた状態で所望の部位に着脱可能に取付ける取付手段５Ａとを備える。各ユニットは、ベースシートの表面に折り畳み用の間隔部２２を形成して整列状に配置する。透明シートは各ユニットの表面側を全体的に被覆すると共に各ユニット全体の外側部を包囲してベースシートに熱溶着その他の手段で固着する。【選択図】図１
0003184818.tif 000002
【実用新案登録請求の範囲】
【請求項１】
所望の部位に着脱可能に装着して使用するＬＥＤ情報表示装置であって、
折り畳み可能な所望の大きさの装着用のベースシートと、
略四角形状の基板及び前記基板の表面にマトリックス状に配置して設けた所望数のＬＥＤとを有し、前記ベースシート上に設ける複数のＬＥＤ表示ユニットと、
所望の大きさの被覆用の軟質プラスチック製の透明シートと、
前記ベースシートを広げた状態で所望の部位に着脱可能に取付ける取付手段とを備え、
前記各ユニットは、前記ベースシートの表面に前記基板を取付けると共に折り畳み用の間隔部を形成して整列状に配置して設けられ、
前記透明シートは、前記各ユニットの表面側を全体的に被覆すると共に、少なくとも前記各ユニット全体の外側部を包囲して前記ベースシートに熱溶着その他の手段で固着して設けられ、
前記各ユニットは隣接する前記各ユニット同士をケーブルで電気的に接続されている
ことを特徴とするＬＥＤ情報表示装置。
【請求項２】
前記ベースシートは防水性を有するシート材で構成され、前記透明シートは前記各ユニットに対して防水性を付与させるように前記ベースシートに熱溶着その他の手段で固着されていることを特徴とする請求項１に記載のＬＥＤ情報表示装置。
【請求項３】
前記各ユニットの前記各ＬＥＤは多色ＬＥＤで構成されていることを特徴とする請求項１に記載のＬＥＤ情報表示装置。
【請求項４】
前記各ユニットの前記各ＬＥＤは単色ＬＥＤで構成されていることを特徴とする請求項１に記載のＬＥＤ情報表示装置。
【請求項５】
前記各ユニットを制御するマイクロコンピュータを備えていることを特徴とする請求項１ないし４のいずれかに記載のＬＥＤ情報表示装置。
【請求項６】
前記マイクロコンピュータは前記各ユニットのうち、所望の前記ユニットの前記基板の裏面側に配置して設けてあることを特徴とする請求項５に記載のＬＥＤ情報表示装置。
【考案の詳細な説明】
【技術分野】
【０００１】
本考案はＬＥＤ情報表示装置に関する。さらに詳しくは、マトリックス状に配置したＬＥＤを選択的に制御して発光させ、文字，図形、或いは記号等で各種の情報（メッセージ）を表示するＬＥＤ情報表示装置に関する。
【背景技術】
【０００２】
従来のＬＥＤ情報表示装置として、例えば、基板上にＬＥＤをマトリックス状に配置してパネル型に形成し、これを車両（例えば、パトカー等）の車内の後部に起伏可能に設置したもの（先行技術１）が一般に知られている。この先行技術１は、使用時に前記表示装置を起立させ、例えば「検問中」、「速度違反取締中」その他の各種の情報（例えば、主に車両の通行、規制、或いは案内等）を表示するように構成したものである。
【０００３】
他のＬＥＤ情報表示装置（先行技術２）として、複数のＬＥＤ表示ユニットを所望の段数に配列してＬＥＤ表示パネルを構成し、前記パネルを車両の後部に昇降可能に搭載したものが提案されている（例えば、特許文献１参照）。この先行技術２は、使用時に前記表示パネルを上昇させ、例えば「工事中」、「スリップ注意」、「落石注意」等、主に道路工事、道路交通、道路災害時に関する情報を表示するように構成したものである。
【０００４】
他のＬＥＤ情報装置（先行技術３）として、パネル型に形成したＬＥＤ表示器をスタンドに固定して装着したものも一般に知られている。この先行技術３は、所要時に目的の場所へ搬送して道路上や地面上等に立設し、先行技術１及び２と同様の各種の情報を表示して使用するように構成したものである。
【先行技術文献】
【特許文献】
【０００５】
【特許文献１】特開２０００−９８９３４号公報
【考案の概要】
【考案が解決しようとする課題】
【０００６】
先行技術１は、上述したように車両の車内に起伏可能に設置し、所要時に前記表示装置を起立させて使用するように構成したので、次のような問題を有している。
（１）前記表示装置の取付等の作業が大掛りになると共に設備費が高価になる。
（２）車両と併用して使用するので、使用する場所及び用途等が限定される。
【０００７】
先行技術２は、上述したように車両の後部に昇降可能に搭載し、所要時に前記表示装置を上昇させてセットし、使用するように構成されているので、先行技術１と同様の問題を有している。
【０００８】
先行技術３は、道路の路面や地面上等に立設して使用するように構成したので、装置の設置場所が限定される。また、上述したようにＬＥＤ表示器をスタンドに固定して装着してあるので、前記装置の保管及び搬送する際のスペースが大になると共に作業性においても手間を要する問題を有している。
【０００９】
本考案は上記のような実情に鑑みてなされたもので、先行技術１〜３の有する上述した諸問題を解消し得るＬＥＤ情報表示装置を提供することを目的とするものある。
【課題を解決するための手段】
【００１０】
上記目的を達成するため、本考案のうち、１つの考案（第１の考案）は、所望の部位に着脱可能に装着して使用するＬＥＤ情報表示装置であって、
折り畳み可能な所望の大きさの装着用のベースシートと、
略四角形状の基板及び前記基板の表面にマトリックス状に配置して設けた所望数のＬＥＤとを有し、前記ベースシート上に設ける複数のＬＥＤ表示ユニットと、
所望の大きさの被覆用の軟質プラスチック製の透明シートと、
前記ベースシートを広げた状態で所望の部位に着脱可能に取付ける取付手段とを備え、
前記各ユニットは、前記ベースシートの表面に前記基板を取付けると共に折り畳み用の間隔部を形成して整列状に配置して設けられ、
前記透明シートは、前記各ユニットの表面側を全体的に被覆すると共に、少なくとも前記各ユニット全体の外側部を包囲して前記ベースシートに熱溶着その他の手段で固着して設けられ、
前記各ユニットは隣接する前記各ユニット同士をケーブルで電気的に接続されていることを特徴とする。
【００１１】
本考案の他の１つの考案（第２の考案）は、第１の考案のＬＥＤ情報表示装置において、前記ベースシートは防水性を有するシート材で構成され、前記透明シートは前記各ユニットに対して防水性を付与させるように前記ベースシートに熱溶着その他の手段で固着されていることを特徴とする。
【００１２】
本考案のさらに他の１つの考案（第３の考案）は、第１の考案のＬＥＤ情報表示装置において、前記各ユニットの前記各ＬＥＤは多色ＬＥＤで構成されていることを特徴とする。
【００１３】
本考案のさらに他の１つの考案（第４の考案）は、第１の考案のＬＥＤ情報表示装置において、前記各ユニットの前記各ＬＥＤは単色ＬＥＤで構成されていることを特徴とする。
【００１４】
本考案のさらに他の１つの考案（第５の考案）は、第１ないし第４のいずれかの考案のＬＥＤ情報表示装置において、前記各ユニットを制御するマイクロコンピュータを備えていることを特徴とする。
【００１５】
本考案のさらに他の１つの考案（第６の考案）は、第５の考案のＬＥＤ情報表示装置において、前記マイクロコンピュータは前記各ユニットのうち、所望の前記ユニットの前記基板の裏面側に配置して設けてあることを特徴とする。
【考案の効果】
【００１６】
本考案によれば次のような作用効果を奏する。
（１）装着用のベースシートを広げた状態で所望の部位に着脱可能に取付けて装着するように構成されている。したがって、車両のボディの外壁面、フェンス、或いは建造物その他の所望の部位へ着脱可能に装着して使用できるので、使用可能な場所及び用途範囲を大巾に拡大することができる。
（２）折り畳んでコンパクト化できるので、保管スペースを縮小することができる。
（３）折り畳むことにより、例えばキャリングケースや容器内に収容できるので、移送や搬送作業が容易になる。
（４）製造コストを安くすることができる。
（５）第２の考案によれば、防水性が付与されているので、上記諸効果に加え、雨天等においても屋外での使用が可能になる。
【図面の簡単な説明】
【００１７】
【図１】本考案の一実施形態のＬＥＤ情報表示装置を概略的に示す説明図であって、同図（ａ）は全体的構成を概略的に示す正面説明図、同図（ｂ）は前記装置に配置されている複数のＬＥＤ表示ユニットのうちの１つを代表し、その構成を概略的に示す正面説明図、同図（ｃ）は同図（ａ）のＡ−Ａ線で切断し、その一部を拡大して、その構成を概略的に示す断面説明図、同図（ｄ）は同図（ａ）のＢ−Ｂ線で切断し、その一部を拡大して、その構成を概略的に示す断面説明図、同図（ｅ）は前記ユニットの前記ベースシートに対する取付け構成の一例を概略的に示す説明図である。なお、同図（ｅ）では透明シートを省略してある。
【図２】装着用のベースシートを着脱可能に取付けて前記表示装置を装着する取付け手段のそれぞれ別の実施形態を示す説明図であって、同図（ａ）は前記ベースシートの適当な部位に所望数の鳩目（はと目）を形成し、同図（ｂ）、（ｃ）に概略的に示すような留め具又は同図（ｄ）に概略的に示すようなロープ等を用いて取付ける例を示す説明図、同図（ｅ）及び（ｆ）は前記ベースシートの裏面の適当な部位に所望数の吸盤を固定して設け、前記吸盤で吸着して取付ける例を示す説明図、同図（ｇ）及び（ｈ）は前記ベースシートの裏面の適当な部位に所望数のマグネット（例えば強力磁石）を固定して設け、前記マグネットで吸着して取付ける例を示す説明図である。
【図３】図３（ａ）及び（ｂ）は前記表示装置の前記ユニットを駆動する電源の一例を示すブロック説明図である。
【図４】前記表示装置を折り畳んだ状態の構成を概略的に示す説明図である。
【図５】図５（ａ）ないし（ｃ）は前記表示装置の前記ユニットに情報（メッセージ）を表示した状態を説明するために示す説明図である。
【図６】図６（ａ）及び（ｂ）は前記表示装置を装着して使用している状態の一例を示す説明図である。
【考案を実施するための形態】
【００１８】
以下、図面を参照して本考案のＬＥＤ情報表示装置の実施形態の一例について説明する。
【００１９】
図１ないし図６は本考案の一実施形態のＬＥＤ情報表示装置を示す。
【００２０】
図１ないし図６に示すように、本実施形態のＬＥＤ情報表示装置は、装着用のベースシート１と、ベースシート１上に設けられる複数のＬＥＤ表示ユニット２…２と、所望の大きさの被覆用の透明シート３と、マイクロコンピュータ４と、前記ベースシート１を所望の部位に着脱可能に取付ける取付手段とを備える。
【００２１】
前記ベースシート１は、折り畳み可能なシート材１０で構成される。ベースシート１の形状は特に限定するものではないが、本実施形態では略長方形状に形成したものが開示されている。ベースシート１は所望の大きさに形成される。
【００２２】
ベースシート１の大きさは特に限定するものではなく、使用目的や用途等に応じて所望の大きさに決定できるものであるが、例えば、図１（ａ）において、縦巾（上下の長さ）：約５００ないし約７００ｍｍ、横巾（左右の長さ）：約８００〜約３０００ｍｍ程度の範囲を挙げることができる。但し、上記範囲に限定されるものではない。
【００２３】
ベースシート１を構成するシート材１０の肉厚は特に限定するものではないが、例えば約０．５ないし約２．０ｍｍ程度の範囲を挙げることができる。但し、上記範囲に限定されるものではない。
【００２４】
本実施形態のベースシート１は、防水性を有するシート材１０で構成されている。防水性のシート材１０としては、特に限定するものではないが、例えばキャンプ用のテント等を構成するシート素材のように、キャンバスのような織布を塩ビ（塩化ビニル）系その他の樹脂でコーティング加工して防水性を付したシート材や補強用の繊維内蔵の塩ビ系その他のプラスチック製のシート材、その他の塩ビ系等のプラスチック製シート材等を採用できる。上記シート材は防水性を有すると共に所望の強靭性を付与するように構成することが好ましい。
【００２５】
本実施形態のベースシート１は、一例として、図１（ａ）において、縦巾約５９０ｍｍ×横巾約１６３０ｍｍの略長方形に形成されている。なお、上述したように、前記シート１の大きさは用途等に応じて任意に変更可能なものである。
【００２６】
前記ベースシート１は、黒，青，緑その他の所望の色で彩色したものを採用できる。本実施形態では黒系の色で彩色したベースシート１を採用している。
【００２７】
前記ベースシート１上には複数のＬＥＤ表示ユニット２…２を設ける。本実施形態では前記表示ユニット２を４基設けた例が開示されている。前記ユニット２の数量は用途等に応じて所望の数量に任意に増減可能である。例えば、一例として、２個ないし１０個程度の範囲を挙げることができる。但し、上記範囲に限定されるものではない。
【００２８】
前記各ＬＥＤ表示ユニット２は、所望の大きさの略四角形状の基板２０（プリント配線板）と、基板２０の表面にマトリックス状に配置して設けた所望数のＬＥＤ２１…２１とを有して構成されている。
【００２９】
前記基板２０の大きさは特に限定されないが、例えば、縦巾：約３００〜約４００ｍｍ、横巾：約３００〜約４００ｍｍ程度の範囲を挙げることができる。但し、上記範囲内に限定するものではない。本実施形態の基板２０は縦巾約３３０ｍｍ×横巾約３３０ｍｍの大きさの略正方向に形成したものを採用した例が開示されている。
【００３０】
前記基板２０上にマトリックス状に配置されるＬＥＤ２１の数量（ドット数）は基板２０の大きさ等に対応させて任意に決定することができる。本実施形態では縦列１６×横列１６ドット＝２５６ドットで構成した例が開示されている。
【００３１】
本実施形態では、１ドットにＬＥＤを２個づつ配置して構成してある。したがって、１つの前記ユニット２に５１２個のＬＥＤを配置して設けてある。この場合、１ドットに１個のＬＥＤを配置して構成してもよいこと勿論である。
【００３２】
また、本実施形態では、ＬＥＤ２１として、１個のＬＥＤで赤，青，緑その他の多色に発光可能な多色ＬＥＤを採用している。前記多色ＬＥＤは市販のものを任意に選択して採用できる。この場合、ＬＥＤは多色ＬＥＤではなく、赤色，青色，緑その他の１色を発光する単色ＬＥＤを採用することも勿論可能である。
【００３３】
前記各ＬＥＤ表示ユニット２は、ベースシート１の表面に基板２０を取付けると共に折り畳み用の間隔部２２を形成して整列状に配置して設けてある。本実施形態では、図１（ｅ）に概略的に示すように、面ファスナ２３で基板２０の裏面をベースシート１の表面に係着して各ユニット２をベースシート１に取付けてある。面ファスナ２３としては、例えばマジックテープ（登録商標）などを採用できる。これにより、ベースシート１は前記各ユニット２を取付けた状態で、図１（ｃ）に仮想線で示すように前記間隔部２２に沿って、即ち、間隔部２２をヒンジ部として折り畳み可能に構成されている。
【００３４】
前記各ユニット２は、図１（ａ）に概略的に示すように、隣接する前記各ユニット２同士を専用のケーブル２４で電気的に接続されている。
【００３５】
前記各ユニット２に配置して設けたＬＥＤ２１を選択的に制御して発光させて文字や図形、或いは記号等を形成（表現）し、これらの文字や図形等で各種のメッセージ（情報）を表示する。この点については追ってさらに説明する。
【００３６】
前記被覆用の透明シート３は、塩ビ（塩化ビニル）系その他の軟質プラスチック製の所望の大きさのシート材３０で構成されている。前記シート材３０は耐候性の良い材質のものを採用するのが好ましい。前記シート材３０の肉厚は特に限定されないが、例えば、約０．５〜約１．６ｍｍ程度のものを採用できる。但し、上記範囲に限定されるものではない。
【００３７】
前記透明シート３は、前記各ユニット２…２の表面側を全体的に被覆すると共に、前記各ユニット全体の外側部を包囲してベースシート１に熱溶着３１（ヒートシール等）、或いは接着剤で接着その他の手段で固着して設ける。これにより、各ユニット２に防水性を付与させるように構成してある。したがって、雨天等においても屋外等での使用が可能になる。また、上記構成により、各ユニット２に防塵性も付与される。
なお、透明シート３は、上記のように前記各ユニット全体の外側部を包囲してベースシート１に固着することに加え、図１（ｃ）に示すように、隣接する前記ユニット２間の間隔部２２の所望部位を熱溶着その他前記と同様の手段でベースシート１に固着する構成を採用することも可能である。
【００３８】
前記マイクロコンピュータ４（以下、「マイコン」と略称することもある）は、後述するコンピュータ（パーソナルコンピュータ）で作成したメッセージ（情報）を記憶させ、前記各ユニット２を制御するものである。
【００３９】
マイクロコンピュータ４は、例えば、所望の前記ユニット２の基板２０の裏面側に配置して設けられる。本実施形態では、前記ユニット２…２のうち、最終側に位置するユニット２（図１（ａ）において右端側に位置するユニット２）の基板２０の裏面側にマイコン４を配置して設けてある。なお、マイコン４は基板２０とベースシート１との間に任意の手段で固定して設ける。
【００４０】
本実施形態のＬＥＤ情報表示装置は、図１（ａ）に示すように、前記マイコン４を配置した前記ユニット２の近傍に位置させて、所望の部位に固定して設けたコネクタ４０Ａ（コネクタのソケット側）を備える。コネクタ４０Ａは、ベースシート１の裏面側に固定して設ける構成を採用できる。なお、コネクタ４０Ａは防水処理を施して設けることが好ましい。
【００４１】
本考案のＬＥＤ情報表示装置は、ベースシート１を広げた状態で所望の部位に着脱可能に取付ける所望の構成の取付手段を備える。
【００４２】
図１及び図２（ａ）に示す実施形態の取付手段５Ａは、ベースシート１の四隅部及びベースシート１の上下の縁部近くに沿わせて所望数設けた鳩目（はと目）５０ａ…５０ａを備える。また、図２（ｂ）に示すように略リング状に形成した留め具５０ｂ、図２（ｂ）に示すように略Ｓ字状に形成した留め具５０ｃ、或いは図２（ｄ）に示すように所望長さのロープ５０ｄ等を備える。前記取付手段５Ａは、前記はと目５０ａと、留め具５０ｂ，５０ｃ、或いはロープ５０ｄ等で構成されている。
【００４３】
前記留め具５０ｂ及び５０ｃは前記はと目５０ａに挿入可能な適度のばね性を有する金属棒等で構成されている。また、ロープ５０ｄは前記はと目５０ａに挿入可能な繊維製等のロープで形成されている。
【００４４】
前記取付手段５Ａは、ベースシート１を装着する部位の形状や構造等により、所望の留め具５０ｂ又は５０ｃ、或いはロープ５０ｄを使用してベースシート１を着脱可能に取付けて装着するものである。
【００４５】
図２（ｅ）及び（ｆ）に示す実施形態の取付手段５Ｂは、前記はと目５０ａに代え、ベースシート１の裏面における前記はと目５０ａと同様の部位に固定して設けた所望数の吸盤５０ｅ…５０ｅで構成されている。この取付手段５Ｂは、所望の部位に各吸盤５０ｅを吸着して、ベースシート１を着脱可能に取付けて装着するように構成したものである。
【００４６】
図２（ｇ）及び（ｈ）に示す実施形態の取付手段５Ｃは、前記吸盤５０ｅに代え、ベースシート１の前記部位に固定して設けた磁石５０ｆ（マグネット）で構成されている。この取付手段５Ｃは、所望の部位に各磁石５０ｆを吸着して、ベースシート１を着脱可能に取付けて装着するように構成したものである。この取付手段５Ｃを採用する場合には、装着対象物は鉄その他の磁性体（磁石吸着性部材）に限定される。
【００４７】
なお、本考案においては、前記取付手段５Ａと５Ｂ、取付手段５Ａと５Ｃ、或いは取付手段５Ａ、５Ｂ及び５Ｃを併用して設ける構成を採用することもできる。また、図面には開示していないが、吸盤本体の背面部に図２（ｃ）に示すような留め具５０ｃを挿入可能な挿入孔を有する吸盤を設ける。そして、当該吸盤を所望部位に吸着し、前記吸盤の前記挿入孔に留め具５０ｃを挿入して、ベースシート１を着脱可能に装着するように構成した取付手段を採用することもできる。
【００４８】
本実施形態のＬＥＤ情報表示装置は、図５（ａ）及び（ｂ）に示すように、ベースシート１を横長に、或いは図５（ｃ）に示すように、ベースシート１を縦長に装着して使用可能に構成されている。
【００４９】
本実施形態の前記情報表示装置は、電源として、図３に、その一例を示すように、電源ボックス６Ａ内に収容した乾電池６０、車載バッテリィ（図示せず）から供給されるシガライタソケット６Ｂ（コネクタ）の電源、ＡＣ１００Ｖソケット６Ｃ（コネクタ）の電源等を採用できる。なお、図示しないが、乾電池を収容した電池ボックスの乾電池、或いはキャップなどに携帯するポータブル電源なども使用可能である。
【００５０】
本実施形態の電源ボックス６Ａには、前記乾電池６０以外にＡＣ１００Ｖの電圧をＤＣ１２Ｖに変換するＡＣ−ＤＣコンバータ６１及び後述するパーソナルコンピュータ７（以下、「パソコン」と略称することもある）で作成したメッセージを入力するメッセージ用の入力制御回路６２が内蔵されている。
【００５１】
電源ボックス６Ａに一端を電気的に接続したケーブル６３の他端にはベースシート１側に設けたコネクタ４０Ａと電気的に接続するコネクタ４０Ｂ（プラグ）が接続して設けてある。また、使用時に一端をシガライタソケット６Ｂにコネクタ（図示せず）で電気的に接続するケーブル６４の他端には前記コネクタ４０Ａと電気的に接続するコネクタ４０Ｃ（プラグ）が接続して設けてある。
【００５２】
前記ＡＣ１００Ｖソケット６Ｃは、ＡＣ１００Ｖ電源を使用する際に、ケーブル６５で電源ボックス６Ａの前記コンバータ６１と電気的に接続する。また、パソコン７は、使用時（メッセージ入力時）にケーブル６６で電源ボックス６Ａの前記入力制御回路６２と電気的に接続する。
【００５３】
前記各ユニット２で表示する文字や図形、或いは記号等で構成する各種の所望のメッセージ（情報）は、パソコン７で作成する。作成したメッセージは、電源ボックス６Ａを経由して、前記マイコン４（マイコンのメモリ）に記憶させる。マイコン４に記憶可能なメッセージ数は、マイコンのメモリの容量等により異なるが、本実施形態では９０ないし１２０のメッセージを記憶可能に構成してある。
【００５４】
上記のようにメッセージをマイコンに記憶させることにより、電源を供給することにより、前記各ユニット２にメッセージ（情報）を表示することができる。したがって、マイコンにメッセージを記憶させた後は、パソコン７は不要になるので、電源ボックス６Ａとの接続を解除してもよい。
【００５５】
前記メッセージは、マイコンに記憶されているメッセージのうち、所望のメッセージを選択して前記各ユニットに表示する。前記選択したメッセージにより、各ユニット２にマトリックス状に配置したＬＥＤ２１をマイコン４で制御して選択して発光（連続、間欠、或いは流動）させ、図５に示すように、文字８０（発光文字）や図形８１（発光図形）、或いは記号８２（発光文字）等を表示し、これらの文字や図形等で前記各ユニット２に前記選択したメッセージ８（情報）を表示する。
【００５６】
前記メッセージ８は点灯文字等や点滅文字等、或いは流動文字等で表示できるように構成されている。
【００５７】
前記メッセージの選択や電源スイッチのＯＮ・ＯＦＦは、図示しない専用のリモコン（リモート・コントロール）で操作する。リモコンとしては、赤外線式その他の任意の型式のものを採用できる。
【００５８】
本実施形態の前記表示装置は、電源としてシガライタソケット６Ｂの電源を使用する場合には、ケーブル６４の一端に設けたコネクタ（図示せず）を前記ソケット６Ｂに接続すると共にケーブル６４の他端に設けたコネクタ４０Ｃ（プラグ）をベースシート１側に設けたコネクタ４０Ａと電気的に接続する。
【００５９】
電源として、電源ボックス６Ａの乾電池６０を使用する場合には、ケーブル６３の他端に設けたコネクタ４０Ｂ（プラグ）をベースシート１側に設けたコネクタ４０Ａと接続する。
【００６０】
また、電源として、ＡＣ１００Ｖ電源を使用する場合には、ケーブル６５でＡＣ１００Ｖソケット６Ｃと電源ボックス６Ａの前記コンバータ６１と電気的に接続すると共に一端を電源ボックス６Ａと電気的に接続したケーブル６３の他端に設けたコネクタ４０Ｂをベースシート１側に設けた前記コネクタ４０Ａと電気的に接続する。
【００６１】
本実施形態の前記表示装置は、上記のように構成され、不使時には、例えば図４に示すように折り畳み、その状態で保管し、或いは容器やケース等に収納して保管する。また、使用する際には、キャリングケースや容器等に収納し、例えば車両のトランク等に収容して目的地に移送する。
【００６２】
次に本実施形態のＬＥＤ情報表示装置の使用例の一例について説明する。
【００６３】
（使用例１）
図６（ａ）に示すように、本実施形態の前記表示装置を車両９Ａのボディの後部側の外壁面に着脱可能に装着して使用する。この使用例１では、取付手段として、例えば図２（ｅ）ないし（ｈ）に示す吸盤５０ｅや磁石５０ｆを採用した取付手段５Ｂ又は５Ｃを使用できる。なお、車種等により、図２（ａ）〜（ｄ）に示す取付手段５Ａを採用することもできる。
【００６４】
（使用例２）
図６（ｂ）に示すように、本実施形態の前記表示装置をフェンス９Ｂに着脱可能に装置して使用する。この使用例２では、取付手段として、はと目５０ａ及びロープ５０ｄを用いて構成した取付手段５Ａを採用した例が開示されている。なお、ロープ５０ｄに代え、図２（ｂ）及び（ｃ）に示す留め具５０ｂや５０ｃを採用することもできる。
【００６５】
（他の使用例）
本実施形態の前記表示装置は、壁や建造物（図示せず）の所望の部位、或いはその他の任意の部位へ着脱可能に装着して使用することもできる。また、建造物等に垂れ幕状に装着して使用することも可能である。
【００６６】
なお、上述した使用例は一例として説明したもので、上記した以外の形態で使用できること勿論である。
【００６７】
また、上述した取付手段５Ａ，５Ｂ，５Ｃは一例として開示したもので、上記以外の構成の取付手段を採用することができる。取付手段は、要は前記ベースシート１を広げた状態で所望の部位に着脱可能に装着可能な機能を具備するように構成すれば良いものである。
【００６８】
なお、上記した実施形態のＬＥＤ情報表示装置は一例として開示したもので、本考案は上記の実施形態に限定されるものではなく、実用新案登録請求の範囲に記載の技術思想を越脱しない範囲内において任意に変更可能なものである。
【符号の説明】
【００６９】
１        装着用ベースシート
２        ＬＥＤ表示ユニット
３        透明シート
４        マイクロコンピュータ
５Ａ，５Ｂ，５Ｃ      取付手段
２０      基板
２１      ＬＥＤ
２２      間隔部
【図１】
0003184818.tif 000003
【図２】
0003184818.tif 000004
【図３】
0003184818.tif 000005
【図４】
0003184818.tif 000006
【図５】
0003184818.tif 000007
【図６】
0003184818.tif 000008